(57)【要約】【課題】部品の交換においては施設毎に部品交換時期を最適化しなければならないのに計算が煩雑でなされていないため、故障などに伴う装置の不稼動時間が発生する虞があった。また、部品交換は、ユーザーが行うのか、サービスマンが行わなければいけないかを逐一確認しなければならないという煩雑さがあった。また、部品の発注とサービスマンの予約が簡単にできない課題があった。【解決手段】本発明は施設毎の装置の稼働状況を、通信回線を通じてサーバーに蓄積し、各部品に対して最適な交換時期をユーザーに通知すること、またこれに加え、その部品の交換作業にサービスマンが必要であれば、サービスマンの空き状況を通知して予約を自動分析システムで実施できる構成とする。【選択図】図２
2014145691.tif 000002
【特許請求の範囲】
【請求項１】
試料と試薬を混合する反応容器と、
複数の該反応容器を有する反応ディスクと、
該反応容器へ試料を分注する試料分注プローブと、
該反応容器へ試薬を分注する試薬分注プローブと、
該反応容器に分注された試料と試薬を混合した反応液の吸光度や濁度を経時的に測定する光度計と、
前記光度計の測定データから特定の物質の濃度を算出する演算部と、
通信回線を介して装置の各部品の稼動情報を外部サーバーへ送信する送信手段と、
該稼動情報に基づき該外部サーバーで算出された、部品毎の交換時期を受信する受信手段と、
を有することを特徴とする自動分析システム。
【請求項２】
請求項１の自動分析システムにおいて、
さらに、表示画面と、前記表示画面の表示を制御する制御部を有し、
前記制御部は、前記交換時期に基づき、任意の期間内に交換時期がくる部品を前記表示画面に表示することを特徴とする自動分析システム。
【請求項３】
請求項２の自動分析システムにおいて、
前記制御部は、前記表示画面に表示された部品の発注情報を送信することを特徴とする自動分析システム。
【請求項４】
請求項２の自動分析システムにおいて、
前記制御部は、部品毎に、その部品の交換に対しサービスマンの作業が必要か否かを前記表示画面に表示することを特徴とする自動分析システム。
【請求項５】
請求項４の自動分析システムにおいて、
前記制御部は、サービスマンの作業が必要な部品に対して、サービスマンの空き状況を前記表示画面に表示することを特徴とする自動分析システム。
【請求項６】
請求項５の自動分析システムにおいて、
前記制御部は、前記表示画面に表示された部品の発注情報を送信すると共に、サービス作業の予約日程を送信することを特徴とする自動分析システム。
【発明の詳細な説明】
【技術分野】
【０００１】
本発明は、試料中の測定成分の定性・定量分析を行う自動分析システムに関するものである。
【背景技術】
【０００２】
自動分析装置は試料と試薬を任意の容量だけ反応容器に分注し、温度一定の反応槽内で反応させ、その吸光度や濁度の変化により被検物質の定量を行う装置で、主に臨床検査の分野で広く用いられている。一般的に自動分析装置の性能を維持するには、定期的な部品交換や保守点検が欠かせない。
【０００３】
ユーザーが実施する定期交換部品や、サービスマンが実施するべき保守点検項目の周期は、取扱説明書や添付文書に記載されているが、その周期は決まった条件（例えば1日5時間、１か月25日稼働など）で、記載されており、本来、ユーザー毎の使用状況に応じて再計算する必要があるが、煩雑なのでなされていない。そのため決まった条件以上に装置を稼働させている施設では、保証寿命を超えて部品を稼働させて故障することがあり、装置の不稼働時間が発生してしまうことがあった。
【０００４】
また、サービスマンが実施すべき保守点検項目は周期が長くて忘れがちであるし、保守契約を結んでいなければ部品が故障してから慌ててサービスマンを呼ぶといったことが行われ、装置の不稼働時間が発生してしまうことがあった。この課題に対して、特許文献１では試薬の使用履歴によって試薬の発注を行う方法についての技術が開示されている。
【先行技術文献】
【特許文献】
【０００５】
【特許文献１】特開２００８−１８０６４０号公報
【発明の概要】
【発明が解決しようとする課題】
【０００６】
しかし、試薬は品物を発注すればよいが、部品の交換においては施設毎に部品交換時期を最適化しなければならないのに計算が煩雑でなされていないため、故障などに伴う装置の不稼動時間が発生する虞があった。また、部品交換は、ユーザーが行うのか、サービスマンが行わなければいけないかを逐一確認しなければならないという煩雑さがあった。また、部品の発注とサービスマンの予約が簡単にできない課題があった。
【課題を解決するための手段】
【０００７】
（１）本発明は、試料と試薬を混合する反応容器と、複数の該反応容器を有する反応ディスクと、該反応容器へ試料を分注する試料分注プローブと、該反応容器へ試薬を分注する試薬分注プローブと、該反応容器に分注された試料と試薬を混合した反応液の吸光度や濁度を経時的に測定する光度計と、前記光度計の測定データから特定の物質の濃度を算出する演算部と、通信回線を介して装置の各部品の稼動情報を外部サーバーへ送信する送信手段と、該稼動情報に基づき該外部サーバーで算出された、各部品毎の交換時期を受信する受信手段と、を有する自動分析システムである。
【０００８】
これにより、施設毎に最適化された部品交換時期を知ることができるため、事前に部品を交換することで、故障などによる装置の不稼動を回避することができる。
【０００９】
（２）また、別の本発明は、（１）の自動分析システムであって、さらに、表示画面と、前記表示画面の表示を制御する制御部を有し、前記制御部は、前記交換時期に基づき、任意の期間内に交換時期がくる部品を前記表示画面に表示する自動分析システムである。
【００１０】
これにより、ユーザーの興味がある期間内に発生する交換時期に対応する部品を容易に認識することができる。
【００１１】
（３）また、別の本発明は、（２）の自動分析システムであって、前記制御部は、前記表示画面に表示された部品の発注情報を送信する自動分析システムである。
【００１２】
これにより、単に部品を認識するだけでなく、発注も行うことができ、利便性を向上させることができる。
【００１３】
（４）また、別の本発明は、（２）の自動分析システムであって、前記制御部は、部品毎に、その部品の交換に対しサービスマンの作業が必要か否かを前記表示画面に表示する自動分析システムである。
【００１４】
これにより、部品毎にサービスマンが行うべき交換か否かを容易に判別でき、利便性を向上させることができる。
【００１５】
（５）また、別の本発明は、（４）の自動分析システムであって、前記制御部は、サービスマンの作業が必要な部品に対して、サービスマンの空き状況を前記表示画面に表示する自動分析システムである。
【００１６】
これにより、逐一サービスマンに空き状況を問い合わせる必要がなく、利便性を向上させることができる。
【００１７】
（６）また、別の本発明は、（５）の自動分析システムであって、前記制御部は、前記表示画面に表示された部品の発注情報を送信すると共に、サービス作業の予約日程を送信する自動分析システムである。
【００１８】
これにより、サービスマンの予約を簡単に行うことができ、利便性を向上させることができる。
【発明の効果】
【００１９】
本発明では、部品毎に最適な交換時期が通知されるので、不稼働時間の発生を事前に抑制することができる。また、部品の発注やサービスマンの予約をするためのユーザーの手間を省き、利便性を向上させることができる。
【図面の簡単な説明】
【００２０】
【図１】本発明に係る自動分析システムの全体構成概略図である。
【図２】本発明に係る判定フロー例である。
【図３】本発明に係る画面例である。
【図４】本発明に係る画面例である。
【図５】本発明に係る画面例である。
【図６】本発明に係る画面例である。
【図７】本発明に係る画面例である。
【図８】本発明に係る画面例である。
【発明を実施するための形態】
【００２１】
以下、本発明に係る、装置の稼働情報を、通信回線を介して外部サーバーに蓄積することにより、施設毎の稼働状況に応じて各部品の交換時期を計算して、この交換時期を受信する自動分析システムについて説明する。
【００２２】
図1に自動分析システムの構成を示す。試料を入れた試料容器１は試料ディスク２の上に複数設置される。試料ディスク２はコンピュータ３によりインターフェイス４を介して制御される。試料ディスク２はあらかじめ登録された順番に従って試料分注プローブ５の下まで回転移動し、試料は試料分注プローブに連結された試料用ポンプ７により反応容器６の中に所定量分注される。試料を分注された反応容器６は、恒温槽８に連結された反応槽９の中を第１試薬添加位置まで移動する。第１試薬添加位置まで移動した反応容器６は試薬分注プローブ１０に連結された試薬ポンプ１１により試薬容器１２から吸引された所定の第１試薬が加えられる。試薬分注プローブ１０には液面センサーが付いており、試薬の液面を自動的に検知し、試薬の吸引を行う。第1試薬添加後の反応容器６は攪拌装置１３の位置まで移動し、最初の攪拌が行われる。試薬の添加は必要に応じて、複数回繰り返される。内容物が攪拌された反応容器６は光源１４から発した光束を通過し、この時の吸光度は多波長光度計１５で検知される。検知された吸光度信号は、アナログ／デジタル（Ａ／Ｄ）コンバータを経由し、インターフェイス４を介してコンピュータ３に入り、検体の濃度に変換される。濃度変換されたデータは、前記インターフェイス４を介してプリンタ１７から印字出力されか、CRT画面１８上で表示される。測光の終了した前記反応容器６は、洗浄機構１９の位置まで移動し、反応容器洗浄系２０により内部を排出後、水で洗浄され、次の分析に供される。これらすべてを含めて自動分析装置２６である。
【００２３】
自動分析装置に接続されたコンピュータ（制御部）２７と表示装置２８と入力装置２９を備え、通信回線３０を介して外部サーバー３１と接続している。本明細書では、自動分析装置に接続されたコンピュータ（制御部）２７と表示装置（表示画面）２８と入力装置２９を含め、自動分析システムと称する。このコンピュータ２７に、通信回線を介して装置の各部品の情報を外部サーバーへ送信する送信手段、外部サーバーで算出された各部品の情報を受信する受信手段、サービス会社３３への情報を送信する手段などの様々な手段が含まれている。なお、表示装置（表示画面）２８の表示制御は、コンピュータ（制御部）２７によってなされる。
【００２４】
自動分析装置２６が稼働することによって各部の部品が動作する。その動作回数などの稼動情報をコンピュータ２７から外部サーバー３１へ送信する。外部サーバー３１で動作回数などの稼動情報に応じた部品の交換時期リストと照らし合わせて交換時期を算出し、通信回線３０を通じてコンピュータ２７に通知し、表示装置２８に表示する。表示装置２８の通知を見て、ユーザーが入力装置２９を用いて該当部品の購入指示を出す。通信回線３２を通じてサービス会社３３に部品注文が入る。また、該当部品の交換作業をサービスマンが行う必要がある場合には、サービスマンの空き状況を表示装置２８に通知する。ユーザーはその通知を見て、都合の良い時間を入力装置２９により選択して通信回線３２を通じてサービス会社３３に通知する。
【００２５】
図２はユーザーへの通知情報の判定フローの一例である。使用寿命が決まっている部品は、通信回線を通じで収集した該当部品の稼働情報と、使用寿命を部品毎に比較し、使用寿命を超えていれば、ユーザーに通知する。使用寿命の判定方法は部品によって異なる。例えば、光源ランプは通電している間点灯しているため、通電時間７５０時間を保証期間として管理する。反応セルは使用開始から反応槽水に浸っているのでリアルタイムで1か月を保証期間として管理する。ギアポンプはオペレーション中にプローブ内の水圧を上げるためのポンプで、オペレーションタイムで５０００時間を保証期間として管理する。このように部品毎に判定につかう時間単位を別々に設定することができる。このように、部品毎に管理する基準の情報が外部サーバーに格納されており、自動分析装置から送信された稼動情報を蓄積しておくことで、既にこれらの基準を超えたことを把握することができる。そして、基準を超えた部品に対する部品交換通知をユーザーに対して行う。また、外部サーバーは、装置毎の稼動傾向を把握することができ、各部品のいつ交換時期がくるのかの予測日程を算出することができる。自動分析システムは、この交換時期を受信することで、表示装置（表示画面）２８にこの時期を表示することができる。
【００２６】
なお、上述のように、稼動情報としては、動作回数の他、ランプの通電時間、反応セルを交換してからの経過時間、オペレーションタイムなど部品毎の稼動に関する情報である。
【００２７】
部品交換通知が行われると、部品交換をサービスマンが行うか否かを判定する。例えば光源ランプはユーザーが交換可能な部品であるが、ギアポンプのように保証期間が長く装置内部に設置されている部品はサービスマンが交換する必要がある。したがって、同時に、その部品の交換にサービスマンが必要であるかを判定する。判定自体は、予め部品毎にサービスマンが必要であるか決められているため、容易に判定することができる。そして、サービスマンが必要な場合、サービスマンの空き状況も合わせて通知し、そのままサービスマンの予約を行うこともできる。
【００２８】
以下、図３〜８で画面例について説明する。これらの画面は、コンピュータ（制御部）２７によって制御される。
【００２９】
図３はオープニング画面の例である。通信回線を介して、一定期間毎（例えば1日１回）装置の稼働情報を蓄積し、使用期限と部品の稼働情報を比較する。もし使用期限を超える部品がある場合には、通信回線を通じて、即ユーザーに報告するため、例えば、図３のように装置のオープニング画面で部品の使用期限が来ていることを通知する。また、これと同時に、前回交換日や超過期間など発注するかしないか判断するための材料を表示することが望ましい。
【００３０】
「はい」を選択すると図４のように発注画面を表示し、その中に必要な部品リストを表示する。部品リストの中でサービスマンの予約が必要な場合には、サービス作業が必要なことを表示する。「確認」を選択すると発注内容を確認することができ、発注内容を確定されることで、部品の発注情報を、サービス会社などに送信することができる。
【００３１】
期限が超過した部品と合わせて他の部品も発注するか表示されるので、「はい」を選択すると図５のように全部の部品リストからか、ユーザーが入力した期限内に使用期限がくる部品のみ表示するかを選択する画面が表示されるので、どちらか選択し、ある期限内を選択する場合は、期限をユーザーが入力することができる。これは、外部サーバーから受信した部品毎の交換時期の情報を装置が記憶しているため、入力期間と交換時期に基づき、表示内容を変えることができる。
【００３２】
選択に応じて、図６のように部品のリストが表示されるので確認し、発注個数を入力する。図６のように、サービス作業が必要な部品の場合には、「予約」が表示され、各部品毎に、その部品の交換に対しサービスマンの作業が必要か否かを識別することができる。
【００３３】
サービスマン作業が必要な部品があるとサービスマンの空き状況の確認を促すコメントが出るので、「はい」を選択すると、図７のようにサービスマンの予約画面が表示される。このサービスマンの空き状況は、サービス会社３３との通信によって、リアルタイムで情報を得ることができ、この情報を表示している。
【００３４】
予約可能で都合のよい日をクリックすると、図８のようにこれまでの部品発注個数、サービスマンの予約日程が表示され、確認すると発注内容を確定する。発注が確定したら自動的に発注内容をあらかじめ登録済のメールアドレスに送信し、発注内容をユーザーが確認・保存することができる。この発注内容である発注情報を送信すると共に、サービス作業の予約日程を送信することもできる。
【符号の説明】
【００３５】
１…試料容器、２…試料ディスク、３…コンピュータ（制御部）、４…インターフェイス、５…試料分注プローブ、６…反応容器、７…試料用ポンプ、８…恒温槽、９…反応ディスク、１０…試薬分注プローブ、１１…試薬用ポンプ、１２…試薬容器、１３…攪拌装置、１４…光源、１５…多波長光度計、１６…キーボード、１７…プリンタ、１８…CRT、１９…洗浄機構、２０…反応容器洗浄系、２６…自動分析装置、２７…コンピュータ（制御部）、２８…表示装置（表示画面）、２９…入力装置、３０、３２…通信回線、３１…外部サーバー、３３…サービス会社
【図１】
2014145691.tif 000003
【図２】
2014145691.tif 000004
【図３】
2014145691.tif 000005
【図４】
2014145691.tif 000006
【図５】
2014145691.tif 000007
【図６】
2014145691.tif 000008
【図７】
2014145691.tif 000009
【図８】
2014145691.tif 000010